(57)【特許請求の範囲】
【請求項１】
棒状をなす複数のリンクエレメントからなる多関節型のリンクと、引出し式開閉装置の引出し部に設けられた板部に軸長方向の移動を可能として支持され、一側にボルトが螺入された出力ピンとを備え、他端の作用力により変位する前記リンクの一端が前記ボルトのボルト頭に当接することによって、前記出力ピンを押動せしめるように構成された引出し式開閉装置のリンク装置において、
前記ボルトに螺合されたロックナットと前記出力ピンの一側端部との間に挾持されたばね受けと、
該ばね受けと前記板部とに両端を当接させてあり、前記ボルト頭を前記リンクの一端に向けて付勢する圧縮ばねとを備えることを特徴とする引出し式開閉装置のリンク装置。
【請求項２】
前記ボルトは丸頭のボルトである請求項１記載のリンク装置。
【請求項３】
内部に突起を有するハウジングと、該ハウジングに引出し可能に収納された引出し部と、前記ハウジングの突起に前記リンクの他端が乗り上げられるようして前記引出し部に取り付けてあり、押動された前記出力ピンが、前記引出し部が備える制御盤と該制御盤の操作スイッチとの間に挿入され、前記操作スイッチの押圧操作を防止する請求項１または２記載のリンク装置とを備えることを特徴とする引出し式開閉装置。
【発明の詳細な説明】
【０００１】
【発明の属する技術分野】
本発明は、出力側のストローク調整を行うことができる引出し式開閉装置のリンク装置及びこれを備えた引出し式開閉装置に関する。
【０００２】
【従来の技術】
引出し式開閉装置は、箱型のハウジングと該ハウジング内に前後方向に移動可能に設置された引出し部とからなっており、該引出し部に制御盤が設けられている。このような引出し式開閉装置には、引出し部を引き出しているときに制御盤上のスイッチを押す（引く）ことを禁ずるために、リンク装置を用いたインターロックを備えている。
【０００３】
図３は、従来のリンク装置の要部の構成を示す側面部分断面図である。図において、Ｈは箱型をなす引出し式開閉装置のハウジングである。該ハウジングＨには車輪を備えた引出し部Ｃが引出し可能に収納されている。また、引出し部Ｃは制御盤を備えており、該制御盤上には、押しボタン式のスイッチＳＷが突出している。
【０００４】
また、図において、１は、３本の棒状のリンクエレメント１１，１２，１３からなっており、クランク状をなすリンクである。リンクエレメント１１は、引出し式の開閉装置の引出し部Ｃにおいて、その中央部を縦方向に回転可能に支持され、引出し方向を長手方向として配されている。該リンクエレメント１１の一端は関節１４となっており、リンクエレメント１１より短寸であり、リンクエレメント１１に対して略直角に配されたリンクエレメント１２の下端が引出し方向に回転可能に支持されている。リンクエレメント１２の上端は関節１５となっており、前記リンクエレメント１１と略同寸であり、リンクエレメント１１と略平行に配されたリンクエレメント１３の一端が縦方向に回転可能に支持されている。また、リンクエレメント１３の中央部は縦方向に回転可能に引出し部Ｃに支持されている。
【０００５】
リンクエレメント１３の他端は、おねじ部と支持部とからなるリンクピン４ｂの前記支持部によって縦方向に回転可能に支持されている。リンクピン４ｂは、おねじ部がリンクエレメント１３に対して略直角になるように、支持部を下側として配されており、ナット型の筒状をなし、内周面を前記おねじ部のおねじと螺合可能なめねじ形状に成形されたスタッド４１の下端側に、前記おねじ部が適宜長さ螺合され、ロックナット４ａによって固定されている。前記スタッド４１の上端側は、下端部を前記リンクピン４ｂのおねじ部と同形状のおねじ部とされた棒状をなす出力ピン５の前記おねじ部が適宜長さ螺合され、ロックナット４ａによって固定されている。
【０００６】
開閉装置の引出し部Ｃに設けられた板部には、出力ピン５の上端側が貫通可能な貫通穴が設けられており、出力ピン５の上端が前記板部から適宜突出するように、出力ピン５が前記貫通穴に貫通せしめられている。また、出力ピン５は圧縮ばね５ａに貫通せしめられており、出力ピン５の中央部に鍔状に張り出すように設けられたばね受け部及び前記板部に前記圧縮ばね５ａの両端が当接するように配され、下方に付勢するようになっている。
【０００７】
リンク１の引出し方向奥側端は、下部に突起が設けられた当接部１ａとなっている。開閉装置の引出し部Ｃが引き出されたときに、リンクエレメント１１の当接部１ａが、開閉装置の固定枠Ｈ側に設置された台形状をなす突起Ｈ１に当接し、当接部１ａを押し上げる。これによって、関節１４、リンクエレメント１２、及び関節１５は降下する。リンクエレメント１３のリンクピン４ｂとの接続側が押し上げられ、これに伴って、リンクピン４ｂ、スタッド４１、及び出力ピン５が押し上げられる。出力ピン５は、スイッチＳＷの下方に配置されており、出力ピン５が押し上げられた状態では前記スイッチＳＷと制御盤との間に出力ピン５が挿入され、スイッチＳＷを押すことができないようになされている。
【０００８】
一方、開閉装置の引出し部Ｃが押し込まれたときには、リンクエレメント１１の当接部１ａが開閉装置の前記突起Ｈ１から離れる。このとき、出力ピン５は圧縮ばね５ａによって下方に付勢せしめられているため、出力ピン５が降下し、これに伴って、スタッド４１、リンクピン４ｂ、及びリンクエレメント１３のリンクピン４ｂとの接続側が降下する。これによって、関節１４、リンクエレメント１２、及び関節１５が押し上げられ、リンクエレメント１１の当接部１ａが降下する。出力ピン５は、降下した状態では前記スイッチＳＷと制御盤との間から離れ、前記スイッチＳＷを押すことができるようにされている。
【０００９】
このようなリンク装置では、引出し部Ｃが引き出されたときには、スイッチＳＷと制御盤との間に挿入され、引出し部Ｃが押し込まれたときには、スイッチＳＷと制御盤との間から離隔されるように、出力ピン５の上限位置及び下限位置を正確に位置決めしておくことが必要であり、このため、出力ピン５のストローク調整が行えるようになっている。
【００１０】
【発明が解決しようとする課題】
このような従来のリンク装置では、出力ピン５のストローク調整を以下のようにして行っている。即ち、リンクエレメント１１の関節１４側の上側にはボルトのストッパが配置されており、リンクエレメント１１を該ストッパと当接させることにより、リンクエレメント１１のリンクエレメント１２との接続端の上限位置を規制できるようになっている。従って、このストッパの位置によって、出力ピン５の下限位置を設定する。また、出力ピン５のスタッド４１へのねじ込み量を加減することによっても、出力ピン５の下限位置を調整する。
【００１１】
また、リンクピン４ｂのスタッド４１へのねじ込み量を加減することにより、当接部１ａの位置を調整することができる。これを調整することによって、当接部１ａが開閉装置の突起に乗り上がったときの出力ピン５の突出量を調整する。
【００１２】
以上の如き従来のリンク装置では、出力側のストロークを調整するために、リンクピン、スタッド等の部品を必要とし、部品点数が多く、製品コストが高いという問題があった。
【００１３】
また、出力側のストローク調整のための部品点数が多いため、調整箇所が多く、調整作業に多くの手間を必要とするという問題があった。
【００１４】
本発明は斯かる事情に鑑みてなされたものであり、出力側のストローク調整のための部品点数を少なくし、調整箇所及び製品コストを低減した引出し式開閉装置のリンク装置、及び引出し式開閉装置を提供することを目的とする。
【００１５】
【課題を解決するための手段】
第１発明に係る引き出し式開閉装置のリンク装置は、棒状をなす複数のリンクエレメントからなる多関節型のリンクと、引出し式開閉装置の引出し部に設けられた板部に軸長方向の移動を可能として支持され、一側にボルトが螺入された出力ピンとを備え、他端の作用力により変位する前記リンクの一端が前記ボルトのボルト頭に当接することによって、前記出力ピンを押動せしめるように構成された引出し式開閉装置のリンク装置において、前記ボルトに螺合されたロックナットと前記出力ピンの一側端部との間に挾持されたばね受けと、該ばね受けと前記板部とに両端を当接させてあり、前記ボルト頭を前記リンクの一端に向けて付勢する圧縮ばねとを備えることを特徴とする。
【００１６】
第２発明に係るリンク装置は、第１発明に係るリンク装置において、ボルトは丸頭のボルトであることを特徴とする。
【００１７】
第３発明に係る引出し式開閉装置は、内部に突起を有するハウジングと、該ハウジングに引出し可能に収納された引出し部と、前記ハウジングの突起に前記リンクの他端が乗り上げられるようして前記引出し部に取り付けてあり、押動された前記出力ピンが、前記引出し部が備える制御盤と該制御盤の操作スイッチとの間に挿入され、前記操作スイッチの押圧操作を防止する第１または第２発明に係るリンク装置とを備えることを特徴とする。
【００１８】
【発明の実施の形態】
実施の形態１
以下本発明をその実施の形態を示す図面に基づいて詳述する。図１は本発明に係るリンク装置の実施の形態１の要部の構成を示す側面部分断面図である。
【００１９】
図において、Ｈは箱型をなす引出し式開閉装置のハウジングである。該ハウジングＨには車輪を備えた引出し部Ｃが引出し可能に収納されている。また、引出し部Ｃは制御盤を備えており、該制御盤上には、押しボタン式のスイッチＳＷが突出している。
【００２０】
また、１は、３本の棒状のリンクエレメント１１，１２，１３からなっており、クランク状をなすリンクである。該リンク１は、リンクエレメント１１が引出し方向前側に、リンクエレメント１３が引出し方向奥側に位置するように引出し部Ｃに設置されている。リンクエレメント１１は、引出し式の開閉装置の引出し部Ｃにおいて、その中央部を縦方向に回転可能に支持され、引出し方向を長手方向として配されている。該リンクエレメント１１の一端は関節１４となっており、リンクエレメント１１より短寸であり、リンクエレメント１１に対して略直角に配されたリンクエレメント１２の下端が引出し方向に回転可能に支持されている。リンクエレメント１２の上端は関節１５となっており、前記リンクエレメント１１と略同寸であり、リンクエレメント１１と略平行に配されたリンクエレメント１３の一端が縦方向に回転可能に支持されている。また、リンクエレメント１３の中央部は縦方向に回転可能に引出し部Ｃに支持されている。
【００２１】
また、リンクエレメント１１の関節１４側の上側にはボルトのストッパが配置されており、リンクエレメント１１を該ストッパと当接させることにより、リンクエレメント１１のリンクエレメント１２との接続端の上限位置を規制できるようになっている。
【００２２】
リンク１の引出し方向前端部の上面は、ボルト頭を下にして長手方向を鉛直方向にして配置された六角ボルトの調整ボルト４の前記ボルト頭に当接するようになっている。該調整ボルト４は、上方に長手方向を鉛直方向として配置された出力ピン５（ピン）に螺着せしめられている。該出力ピン５は中央部に段部を有し、該段部より上側及び下側が夫々異径の円柱形となっている。段部より上側の方が段部より下側よりも直径が大きく、出力ピン５の下端には、外径が出力ピン５の上側の外径よりも大きく、内径が前記調整ボルト４のねじ部の外径よりも大きく、前記出力ピンの下側の外径よりも小さいドーナツ盤状をなすばね受けが、鍔状に張り出すようにして設置されている。出力ピン５の下端部にはめねじ部が設けられており、該めねじ部に前記調整ボルト４が螺合せしめられ、ロックナット４ａによって前記ばね受けを挟み込む状態で固定されている。
【００２３】
開閉装置の引出し部Ｃには上下に並べた２つの板部が設置されている。下側の板部には、前記出力ピン５の下側の円柱部が貫通するように、該円柱部よりも適宜大きく、上側の円柱部及び前記ばね受けの外径よりも小さい丸穴が設けられている。一方、上側の板部には、前記出力ピン５の上側の円柱部が貫通するように、該円柱部よりも大きい丸穴が設けられている。前記出力ピン５はこれら２つの板部に貫通した状態で設置されている。また、前記出力ピン５の下側の円柱部は、圧縮ばね５ａに貫通せしめられており、該圧縮ばね５ａの両端は夫々前記下側の板部及びばね受けに当接した状態で狭持されている。そして、該圧縮ばね５ａによって、出力ピン５には下側に付勢されている。
【００２４】
また、リンク１の引出し方向奥側端は、下部に突起が設けられた当接部１ａとなっている。
【００２５】
開閉装置の引出し部Ｃが引き出されたときに、リンクエレメント１１の当接部１ａが、開閉装置の固定枠Ｈ側に設置された台形状をなす突起Ｈ１に当接し、当接部１ａを押し上げる。これによって、関節１４，１５及びリンクエレメント１２は降下する。リンクエレメント１３の調整ボルト４との当接側が押し上げられ、リンクエレメント１３が調整ボルト４に当接し、調整ボルト４及び出力ピン５が押し上げられる。出力ピン５は、スイッチＳＷの下方に配置されており、出力ピン５が押し上げられた状態では前記スイッチＳＷと制御盤との間に出力ピン５が挿入され、スイッチＳＷを押すことができないようになされている。
【００２６】
一方、開閉装置の引出し部Ｃが押し込まれたときには、リンクエレメント１１の当接部１ａが開閉装置の前記突起Ｈ１から離れる。このとき、出力ピン５は圧縮ばね５ａによって下方に付勢せしめられているため、出力ピン５が降下し、これに伴って、調整ボルト４及びリンクエレメント１３の調整ボルト４との当接側が降下する。これによって、関節１４，１５及びリンクエレメント１２が押し上げられ、リンクエレメント１１の当接部１ａが降下する。出力ピン５は、降下した状態では前記スイッチＳＷと制御盤との間から離れ、前記スイッチＳＷを押すことができるようにされている。
【００２７】
このようなリンク装置では、出力ピン５のストローク調整は、以下のようにして行われる。即ち、リンクエレメント１１の上側に配置されたストッパの突出量を調節し、出力ピン５の下限位置を調整する。また、調整ボルト４の突出量を調整することによって、リンクエレメント１１の当接部１ａが開閉装置の突起に乗り上がったときの、出力ピン５の突出量を調整する。
【００２８】
従って、リンク装置の出力ピン５のストローク調整を、開閉装置側のストッパ及び調整ボルト４によってのみ行えばよく、従来と比して調整箇所が少ないため、調整作業にかかる手間を減ずることができる。
【００２９】
また、リンク装置の部品点数が従来よりも少なく、製品コストを減ずることができる。
【００３０】
実施の形態２
図２は本発明に係るリンク装置の実施の形態２の要部の構成を示す部分拡大側面図である。調整ボルト４は、角根丸頭ボルトである。その他、実施の形態１と同様の部分については同符号を付し、説明を省略する。
【００３１】
なお、調整ボルト４は丸頭のボルトであればよく、角根丸頭ボルトに限ったものではない。
【００３２】
従って、調整ボルト４が丸頭であるため、リンクエレメント１３との当接が面によって行われ、調整ボルト４及びリンクエレメント１３の摩耗及び変形を防止することができる。
【００３３】
【発明の効果】
以上詳述した如く第１発明に係る引き出し式開閉装置のリンク装置及び第３発明に係る引出し式開閉装置による場合は、調整用のボルトの突出量によって、出力側のストローク調整を行うことができるため、従来に比して調整箇所が少なく、調整作業にかかる手間を減ずることが可能となる。
【００３４】
また、簡易な構成で出力側のストローク調整を行えるようにしてあるため、従来に比して部品点数が少なく、製品コストを減ずることが可能となる。
【００３５】
第２発明に係る引き出し式開閉装置のリンク装置による場合は、調整用のボルトを丸頭のボルトにしてあるため、リンクとボルトの当接による摩耗及び変形を防止することが可能となる等本発明は優れた効果を奏する。
【図面の簡単な説明】
【図１】  本発明に係るリンク装置の実施の形態１の要部の構成を示す側面部分断面図である。
【図２】  本発明に係るリンク装置の実施の形態２の要部の構成を示す部分拡大側面図である。
【図３】  従来のリンク装置の要部の構成を示す側面部分断面図である。
【符号の説明】
１  リンク、１１〜１３  リンクエレメント、１４，１５  関節、４  調整ボルト、５  出力ピン（ピン）、Ｈ  ハウジング、Ｈ１  突起、Ｃ  引出し部、ＳＷ  スイッチ。
【図１】
0004727778.tif 000002
【図２】
0004727778.tif 000003
【図３】
0004727778.tif 000004